(57)【特許請求の範囲】
【請求項１】
撮影光学系の光路に進入した第１の位置と前記光路から退避した第２の位置とに移動可能なミラーと、
前記ミラーが前記第１の位置に移動した状態において、前記ミラーにより反射した光束が透過する光学系と、
前記光学系を透過した光束による光学像をユーザーが視認可能な接眼部と、
前記ミラーが前記第２の位置に移動した状態において、前記撮影光学系を透過した光束による像を撮像する撮像部と、
前記撮像部により撮像した画像を表示する表示部と、
被写体の輝度を測定する測光部と、
前記輝度が第１の所定値以上の場合に、前記接眼部を介して光学像として前記被写体を観察する第１状態から前記表示部に表示される画像として前記被写体を観察する第２状態に切り換え、前記第１状態から前記第２状態に切り換えた後、前記輝度が前記第１の所定値よりも小さい第２の所定値以下になると前記第２状態から前記第１状態に切り換えるように制御する制御部とを有し、
前記制御部は、前記第１状態から前記第２状態に切り換わるのに伴って前記接眼部を介してユーザーが視認する視野内に指標を表示するように制御することを特徴とする撮像装置。
【請求項２】
請求項１に記載の撮像装置において、
前記制御部は、前記第１状態から前記第２状態に切り換わるのに伴って前記表示部が配置された方向を示す矢印を前記視野内に表示するように制御することを特徴とする撮像装置。
【請求項３】
請求項１に記載の撮像装置において、
前記制御部は、前記第１状態から前記第２状態に切り換わるのに伴って前記第２状態を示す文字列を前記視野内に表示するように制御することを特徴とする撮像装置。
【請求項４】
請求項１から３のいずれか一項に記載の撮像装置において、
前記制御部は、前記第２状態から前記第１状態に切り換わるのに伴って前記表示部に指標を表示するように制御することを特徴とする撮像装置。
【請求項５】
請求項４に記載の撮像装置において、
前記制御部は、前記第２状態から前記第１状態に切り換わるのに伴って前記表示部に前記接眼部が配置された方向を示す矢印を表示するように制御することを特徴とする撮像装置。
【請求項６】
請求項４に記載の撮像装置において、
前記制御部は、前記第２状態から前記第１状態に切り換わるのに伴って前記表示部に前記第１状態を示す文字列を表示するように制御することを特徴とする撮像装置。
【発明の詳細な説明】
【技術分野】
【０００１】
本発明は、被写体の輝度に応じて観察方法を変更する撮像装置に関するものである。
【背景技術】
【０００２】
従来、撮影者の瞳に強い光が入射しないように、被写体輝度が高くなるにつれて撮影者の瞳に入射する光量を減ずるかまたは入射しないように制御するファインダー光量制御手段を備えたカメラが知られている（例えば、特許文献１）。
【先行技術文献】
【特許文献】
【０００３】
【特許文献１】特開平６−３３２０４０号公報
【発明の概要】
【発明が解決しようとする課題】
【０００４】
しかし、従来のカメラは、被写体輝度が高い場合に撮影者の瞳に入射する光束が制限され、被写体の観察が困難になるという問題があった。
【０００５】
そこで本発明は、被写体輝度が高い場合に撮影者の瞳に入射する光束を制限しても被写体を容易に観察できる撮像装置を提供することを目的とする。
【課題を解決するための手段】
【０００６】
請求項１の発明は、撮影光学系（Ｌ）の光路に進入した第１の位置と前記光路から退避した第２の位置とに移動可能なミラー（２１）と、前記ミラーが前記第１の位置に移動した状態において、前記ミラーにより反射した光束が透過する光学系（Ｏ）と、前記光学系を透過した光束による光学像をユーザーが視認可能な接眼部（２３）と、前記ミラーが前記第２の位置に移動した状態において、前記撮影光学系を透過した光束による像を撮像する撮像部（２５）と、前記撮像部２５により撮像した画像を表示する表示部（２６）と、被写体の輝度を測定する測光部（２７）と、前記輝度が第１の所定値（Ｐ１）以上の場合に、前記接眼部を介して光学像として前記被写体を観察する第１状態から前記表示部に表示される画像として前記被写体を観察する第２状態に切り換え、前記第１状態から前記第２状態に切り換えた後、前記輝度が前記第１の所定値よりも小さい第２の所定値（Ｐ２）以下になると前記第２状態から前記第１状態に切り換えるように制御する制御部（２９）とを有し、前記制御部は、前記第１状態から前記第２状態に切り換わるのに伴って前記接眼部を介してユーザーが視認する視野内に指標を表示するように制御することを特徴とする撮像装置である。
【０００８】
請求項２の発明は、請求項１に記載の撮像装置において、前記制御部は、前記第１状態から前記第２状態に切り換わるのに伴って前記表示部が配置された方向を示す矢印（Ｒ１）を前記視野内に表示するように制御することを特徴とする撮像装置である
【０００９】
請求項３の発明は、請求項１に記載の撮像装置において、前記制御部は、前記第１状態から前記第２状態に切り換わるのに伴って前記第２状態を示す文字列（Ｓ２）を前記視野内に表示するように制御することを特徴とする撮像装置である。
【００１０】
請求項４の発明は、請求項１から３のいずれか一項に記載の撮像装置において、前記制
御部は、前記第２状態から前記第１状態に切り換わるのに伴って前記表示部に指標（Ｒ２、Ｓ１）を表示するように制御することを特徴とする撮像装置である。
【００１１】
請求項５の発明は、請求項４に記載の撮像装置において、前記制御部は、前記第２状態から前記第１状態に切り換わるのに伴って前記表示部に前記接眼部が配置された方向を示す矢印（Ｒ２）を表示するように制御することを特徴とする撮像装置である。
【００１２】
請求項６の発明は、請求項４に記載の撮像装置において、前記制御部は、前記第２状態から前記第１状態に切り換わるのに伴って前記表示部に前記第１状態を示す文字列（Ｓ１）を表示するように制御することを特徴とする撮像装置である。
【００１３】
なお、本発明を分かり易く説明するために一実施形態を表す図面の符号に対応づけて説明したが、本発明はこれに限定されるものではなく、後述の実施形態の構成を適宜改良してもよく、また、実施形態に開示された構成の少なくとも一部を他の構成物に代替させても良い。
【図面の簡単な説明】
【００１４】
【図１】第１実施形態に係るカメラの概略図であって、ミラーが観察位置に移動した状態を示す図である。
【図２】第１実施形態に係るカメラの概略図であって、ミラーが撮影位置に移動した状態を示す図である。
【図３】第１実施形態に係るカメラの制御系統を示すブロック図である。
【図４】第１実施形態に係る測光センサにより検出した被写体の輝度の経時変化の例を示す図である。
【図５】第１実施形態に係る接眼部を介してユーザーに視認される視野を示す図である。
【図６】第１実施形態に係るモニタの概略図である。
【図７】第１実施形態に係るカメラの観察状態の切換動作を示すフローチャートである。
【図８】第１実施形態に係るカメラのＯＶＦモードからＥＶＦモードへの切り換え動作を示すフローチャートである。
【図９】第１実施形態に係るカメラのＥＶＦモードからＯＶＦモードへの切り換え動作を示すフローチャートである。
【図１０】第２実施形態に係るカメラの概略図であって、ミラーが観察位置に移動した状態を示す図である。
【図１１】第２実施形態に係るカメラの概略図であって、ミラーが撮影位置に移動した状態を示す図である。
【図１２】第２実施形態に係るカメラの制御系統を示すブロック図である。
【図１３】第２実施形態に係る接眼部を介してユーザーに視認される視野を示す図である。
【図１４】第２実施形態に係る観察状態の切換動作を示すフローチャートである。
【図１５】第２実施形態に係るカメラのＯＶＦモードからＥＶＦモードへの切り換え動作を示すフローチャートである。
【図１６】第１実施形態に係るカメラのＥＶＦモードからＯＶＦモードへの切り換え動作を示すフローチャートである。
【発明を実施するための形態】
【００１５】
図１は、本発明の第１実施形態に係るカメラの概略的な構成を示す図である。このカメラは、一眼レフレックスタイプのカメラであって、レンズ鏡筒１０とカメラボディ２０とから構成されている。
【００１６】
レンズ鏡筒１０に設けられた撮影光学系Ｌを透過した被写体からの光束は、カメラボディ２０に入射した後、カメラボディ２０に設けられたミラー２１により後述のファインダ光学系Ｏと焦点検出装置２２に導かれる。そして、ファインダ光学系Ｏを透過した光束による被写体の光学像がカメラボディ２０に設けられた接眼部２３を介してユーザーに視認される。
【００１７】
また、図２に示すように、ミラー２１は、撮影光学系Ｌを透過した光束から退避する位置に移動可能となっている。この状態において、撮影光学系Ｌを透過した光束は、カメラボディ２０に設けられた撮像部２５に入射し、撮像部２５の撮像面上に被写体の光学像を形成する。そして、撮像部２５により撮像された被写体の画像がカメラボディ２０の背面に設けられたモニタ２６に表示される。
【００１８】
まず、レンズ鏡筒１０の構成ついて説明する。
【００１９】
レンズ鏡筒１０は、レンズマウント１１によりカメラボディ２０のボディマウント２４に着脱可能に装着されている。レンズマウント１１とボディマウント２４には、不図示の電気接点が設けられており、この電気接点を介してレンズ鏡筒１０とカメラボディ２０とが通信可能となっている。
【００２０】
レンズ鏡筒１０には、ズームレンズＬ１とフォーカスレンズＬ２とを有する撮影光学系Ｌと、撮影光学系Ｌを透過した光束の光量を調節する絞り１２とが設けられている。なお、撮影光学系Ｌは実際には複数のレンズで構成されるが、本実施形態では模式的に２枚のレンズのみを示している。
【００２１】
ズームレンズＬ１は、レンズ鏡筒１０の外周に設けられた不図示のズーム環をユーザーが操作することにより撮影光学系Ｌの光軸方向に移動可能となっている。これにより、撮影光学系Ｌの焦点距離が調節される。ズームレンズＬ１の光軸方向の位置情報は、レンズ鏡筒１０に設けられたズームエンコーダ１３によって検出され、検出結果がレンズ鏡筒１０に設けられたレンズＣＰＵ１４に入力される。
【００２２】
フォーカスレンズＬ２は、撮影光学系Ｌの光軸方向に移動可能となっており、レンズ鏡筒１０に設けられたレンズモータ１５により駆動される。これにより、撮影光学系Ｌの焦点位置が調節される。
【００２３】
絞り１２は、駆動可能な複数の絞り羽根により開口を形成している。この絞り羽根をレンズ鏡筒１０に設けられた絞り駆動部１６により駆動して開口の大きさを変化させることで、撮影光学系Ｌを透過する光束の光量を調節することができる。
【００２４】
次に、カメラボディ２０の構成について説明する。
【００２５】
ミラー２１は、メインミラー２１ａとこのメインミラー２１ａに軸支されたサブミラー２１ｂとで構成されている。メインミラー２１ａは、カメラボディ２０に設けられた不図示のミラーボックスに軸支されており、撮影光学系Ｌを透過した光束に進入した位置（図１参照、以下、観察位置と称す）と、撮影光学系Ｌを透過した光束から退避した位置（図２参照、以下、撮影位置と称す）とに移動可能となっている。
【００２６】
ミラー２１が、図１に示す観察位置に移動（ミラーダウン）した状態において、撮影光学系Ｌを透過した光束は、メインミラー２１ａで反射してファインダ光学系Ｏに導かれるとともに、メインミラー２１ａの中央部に設けられたハーフミラーを透過する。そして、ハーフミラーを透過した光束は、サブミラー２１ｂで反射して焦点検出装置２２に入射する。
【００２７】
ファインダ光学系Ｏは、撮像部２５の撮像面と光学的に等価な位置に配置された焦点板Ｏ１と、焦点板Ｏ１を透過した光束を集光するコンデンサレンズＯ２と、コンデンサレンズＯ２を透過した光束を後述の接眼レンズＯ４に導くペンタプリズムＯ３と、ペンタプリズムＯ３を透過した光束を接眼部２３に導く接眼レンズＯ４とを有している。
【００２８】
ファインダ光学系Ｏに入射した光束は、焦点板Ｏ１上に一旦結像した後、コンデンサレンズＯ２、ペンタプリズムＯ３、接眼レンズＯ４を透過して接眼部２３に導かれ、ユーザーの眼に入射する。これにより、ユーザーは、接眼部２３を介して被写体の光学像を観察することができる。
【００２９】
また、ペンタプリズムＯ３の近傍には、被写体の輝度を測定する測光センサ２７と、接眼部２３を介してユーザーに視認される視野内に指標を表示する指標部２８とが設けられている。
【００３０】
測光センサ２７は、光電変換素子が二次元配列された受光面を有しており、この受光面にペンタプリズムＯ３に入射した光束の一部が入射することで被写体の輝度が測定される。
【００３１】
指標部２８は、焦点板Ｏ１に照明光を照射することで、接眼部２３を介してユーザーに視認される視野内に各種の指標を表示する。この指標としては、焦点検出を行う領域（フォーカスエリア）や、後述の観察状態の切換表示等である。
【００３２】
焦点検出装置２２は、撮像部２５と光学的に等価な位置に配置されている。また、焦点検出装置２２は、複数の光電変換素子がライン状に配列されたラインセンサ（不図示）を有しており、これにより撮影光学系Ｌを透過した光束を受光して位相差検出方式により撮影光学系Ｌの焦点調節状態を検出する。
【００３３】
撮像部２５は、複数の光電変換素子が二次元配列して撮像面を形成する受光素子と、この受光素子の信号に基づいて画像データを生成する画像生成部とを備えている。
【００３４】
撮影光学系Ｌを透過した光束が撮像部２５に入射すると、受光素子の撮像面上に形成された被写体の光学像が受光素子により光電変換されて電気信号が生成される。そして、この電気信号に基づいて画像生成部により被写体の画像データが生成される。
【００３５】
モニタ２６は、ＬＣＤ（Liquid Crystal Display：液晶ディスプレイ）等で構成されており、撮像部２５により撮像した被写体の画像を表示する。
【００３６】
図３は、本実施形態の制御系統を示すブロック図である。
【００３７】
カメラボディ２０とレンズ鏡筒１０は、電気接点Ｅ１、Ｅ２を介して通信可能となっている。
【００３８】
カメラボディ２０は、カメラボディ２０の動作を統括的に制御するボディＣＰＵ２９を有している。そして、ボディＣＰＵ２９には、ミラー２１を観察位置と撮影位置とに駆動するミラー駆動部３０、焦点検出装置２２、撮像部２５、モニタ２６、測光センサ２７、指標部２８、ユーザーが操作可能な設定スイッチ３１等が接続されている。
【００３９】
ボディＣＰＵ２９は、測光センサ２７または撮像部２５により測定した被写体の輝度に応じて、ファインダ光学系を介して被写体の光学像を観察するＯＶＦ（Optical View Finder）モードと、撮像部２５により撮像した被写体の電子画像を観察するＥＶＦ（Electrical View Finder）モードとに観察状態を切り換えるように制御を行う。
【００４０】
ここで、図４を参照してボディＣＰＵ２９による被写体の輝度に応じた観察状態の切り換え制御について説明する。
【００４１】
図４は、測光センサ２７により検出した被写体の輝度の経時変化の例を示した図である。図４の縦軸は被写体の輝度を示し、横軸は時間を示す。
【００４２】
図４の時間Ｔ１に示すように、被写体の輝度が第１の所定値Ｐ１以上になると、ボディＣＰＵはミラー２１をミラーアップさせて観察状態をＯＶＦモードからＥＶＦモードに切り換えるように制御する。その後、図４の時間Ｔ２に示すように、被写体の輝度が第１の所定値Ｐ１よりも小さい第２の所定値Ｐ２以下になると、ボディＣＰＵはミラー２１をミラーダウンさせて観察状態をＥＶＦモードからＯＶＦモードに切り換えるように制御する。
【００４３】
このように、被写体の輝度が第１の所定値Ｐ１を超えるような高輝度時には、ＥＶＦモードにより被写体を観察するように制御するので、被写体が発する高輝度な光によってユーザーの眼を傷めるのを防止することができる。
【００４４】
第１の所定値Ｐ１と第２の所定値Ｐ２の値は、ユーザーが設定スイッチ３１を操作することにより変更可能となっている。第１の所定値Ｐ１を増減させることで、ＯＶＦモードからＥＶＦモードに切り換える感度を調節することができる。また、第２の所定値Ｐ２を増減させることでＥＶＦモードからＯＶＦモードに切り換える感度を調節することができる。また、第１の所定値Ｐ１と第２の所定値Ｐ２との差（ヒステリシス）を大きくすることで、輝度のゆらぎによって観察状態が頻繁に切り換わるのを防止することができる。
【００４５】
ボディＣＰＵ２９は、観察状態がＯＶＦモードからＥＶＦモードに変更されると、接眼部２３を介してユーザーに視認される視野内に観察状態がＥＶＦモードに変更されたことを示す指標を指標部２８により表示する。
【００４６】
図５は、接眼部２３を介してユーザーに視認される視野を示す図である。
【００４７】
図５（ａ）に示すように、観察状態がＯＶＦモードの状態では、ファインダ光学系Ｏを透過した光束による像を接眼部２３を介して視認することができる。一方、観察状態がＯＶＦモードからＥＶＦモードに変更されると、図５（ｂ）に示すように、視野から被写体像が消失するとともに、下向きの矢印（以下、指標Ｒ１という）が表示される。この指標Ｒ１は、観察状態がＥＶＦモードに変更されたことによって撮像部２５により撮像した被写体の画像が接眼部２３の下方に設けられたモニタ２６に表示されていることを示すものである。この指標Ｒ１により、ユーザーは、観察状態がＥＶＦモードに切り換わったことを視覚的に認識することができ、ファインダの視野がブラックアウトしたことに戸惑うことなくスムーズにＥＶＦモードによる被写体の観察に移行することができる。
【００４８】
図６は、カメラボディ２０の背面に設けられたモニタ２６の概略図である。
【００４９】
図６（ａ）に示すように、観察状態がＥＶＦモードの状態では、撮像部２５により撮像した被写体の画像がモニタ２６に表示される。観察状態がＥＶＦモードからＯＶＦモードに変更されると、図６（ｂ）に示すように、モニタ２６の画面から被写体の画像が消失し、画面に上向きの矢印（以下、指標Ｒ２という）が表示される。この指標Ｒ２は、観察状態がＥＶＦモードに変更されたことによって撮像部２５により撮像した被写体画像がモニタ２６の上方に設けられた接眼部２３に表示されていることを示すものである。また、「ＯＶＦモードに切り換わりました。」というメッセージ（文字列）も指標Ｒ２とともに表示される。これらの指標により、ユーザーは、観察状態がＯＶＦモードに切り換わったことを視覚的に認識することができ、モニタ２６の画面がブラックアウトしたことに戸惑うことなくスムーズにＯＶＦモードによる被写体の観察に移行することができる。
【００５０】
次に、第１実施形態に係るカメラの観察状態の切換動作について図７を参照して説明する。この観察状態の切換動作は、カメラボディ２０の電源がオンにされるとスタートする。
【００５１】
ステップＳ１０１において、ボディＣＰＵ２９は、現在の観察状態がＯＶＦモードか否かを判定する。現在の観察状態がＯＶＦモードでないと判定された場合、すなわち、ＥＶＦモードの場合には、ステップＳ１０４に進む。一方、現在の観察状態がＯＶＦモードと判定された場合には、ステップＳ１０２に進む。
【００５２】
ステップＳ１０２において、ボディＣＰＵ２９は、測光センサ２７により測定した被写体の輝度が第１の所定値Ｐ１以上か否かを判定する。被写体の輝度が第１の所定値Ｐ１以上でないと判定された場合には、ステップＳ１０６に進む。一方、被写体の輝度が第１の所定値Ｐ１以上と判定された場合には、ステップＳ１０３に進む。
【００５３】
ステップＳ１０３において、ボディＣＰＵ２９は、観察状態をＯＶＦモードからＥＶＦモードに切り換える。
【００５４】
ここで、ＯＶＦモードからＥＶＦモードへの切り換え動作について図８を参照して説明する。
【００５５】
ステップＳ２０１において、ボディＣＰＵ２９はミラー駆動部３０を制御してミラー２１を撮影位置に移動（ミラーアップ）する。
【００５６】
ステップＳ２０２において、ボディＣＰＵ２９は、モニタ２６に表示された指標Ｒ２（上向き矢印）及び「ＯＶＦモードに切り換わりました。」というメッセージをオフにする。
【００５７】
ステップＳ２０３において、ボディＣＰＵ２９は、撮像部２５により撮像した被写体の画像をスルー画像としてモニタ２６に表示する。
【００５８】
ステップＳ２０４において、ボディＣＰＵ２９は、指標部２８を制御して指標Ｒ１（下向き矢印）をファインダ光学系の視野内に表示する。
【００５９】
図７に戻って、ステップＳ１０４において、ボディＣＰＵ２９は、撮像部２５により検出した被写体の輝度が第２の所定値Ｐ２以下か否かを判定する。被写体の輝度が第２の所定値Ｐ２以下でないと判定された場合には、ＥＶＦモードを維持するとともに、再度、被写体の輝度を検出する。一方、被写体の輝度が第２の所定値Ｐ２以下と判定された場合には、ステップＳ１０５に進む。
【００６０】
ステップＳ１０５において、ボディＣＰＵ２９は、観察状態をＥＶＦモードからＯＶＦモードに切り換える。
【００６１】
ここで、ＥＶＦモードからＯＶＦモードへの切り換え動作について図９を参照して説明する。
【００６２】
ステップＳ３０１において、ボディＣＰＵ２９は、ミラー駆動部３０を制御してミラー２１を撮影位置から観察位置に移動（ミラーダウン）する。
【００６３】
ステップＳ３０２において、ボディＣＰＵ２９は、指標部２８によりファインダ光学系Ｏの視野内に表示された指標Ｒ１（下向き矢印）をオフにする。
【００６４】
ステップＳ３０３において、ボディＣＰＵ２９は、モニタ２６に表示された被写体のスルー画像をオフにする。
【００６５】
ステップＳ３０４において、ボディＣＰＵ２９は、指標Ｒ２（上向き矢印）及び「ＯＶＦモードに切り換わりました。」というメッセージをモニタ２６に表示する。
【００６６】
図７に戻って、ステップＳ１０６において、ボディＣＰＵ２９は、電源オフの指示があるか否かを判定する。電源オフの指示が無いと判定された場合には、ステップＳ１０２に戻る。一方、電源オフの指示があると判定された場合には、観察状態の切換動作の制御を終了する。
【００６７】
次に、第２実施形態について説明する。なお、以下の説明で参照する図において、第１実施形態と同一の部材には同一の符号を付し、その説明は省略する。
【００６８】
第１実施形態では、ＥＶＦモード時に、カメラボディ２０の背面に設けられたモニタ２６に被写体画像を表示するようにしていたが、第２実施形態は、ＥＶＦモード時に、ファインダ内に設けたサブモニタ３２に被写体画像を表示するものである。
【００６９】
図１０は、第２実施形態に係るカメラの概略的な構成を示す図であって、観察状態がＯＶＦモードの状態を示す図である。
【００７０】
カメラボディ２０は、ファインダ光学系ＯのペンタプリズムＯ３を挟んで接眼部２３と対向する位置に、撮像部２５により撮像した画像を表示するサブモニタ３２を備えている。また、ペンタプリズムＯ３のサブモニタ３２と対向する面は光束の一部を透過するミラーで構成されている。
【００７１】
図１１に示すように、ミラー２１が観察位置から撮影位置に移動した状態において、撮影光学系Ｌを透過した光束による像は撮像部２５により撮像される。また、観察状態がＥＶＦモードの場合には、撮像部２５により撮像した被写体の画像がサブモニタ３２に表示される。サブモニタ３２に表示された画像は、ペンタプリズムＯ３、接眼レンズＯ４および接眼部２３を介してユーザーに視認される。
【００７２】
図１２は、第２実施形態に係るカメラの制御系統を示すブロック図である。
【００７３】
カメラボディ２０のボディＣＰＵ２９には、サブモニタ３２が接続されている。ボディＣＰＵ２９は、観察状態がＥＶＦモードの状態において、撮像部２５により撮像した画像をサブモニタ３２に表示するように制御を行う。
【００７４】
図１３は、接眼部２３を介してユーザーに視認される視野を示す図である。
【００７５】
観察状態がＯＶＦモードの状態では、図１３（ａ）に示すように、被写体の光学像が視野内に提示され、観察状態がＯＶＦモードであることを示す指標Ｓ１が指標部２８により表示される。
【００７６】
一方、観察状態がＥＶＦモードの状態では、図１３（ｂ）に示すように、サブモニタ３２に表示された被写体の電子画像が視野内に提示され、観察状態がＥＶＦモードであることを示す指標Ｓ２が指標部２８により表示される。
【００７７】
このように、観察状態に応じてファインダ光学系の視野内に表示する指標を変更するようにしたので、ユーザーは観察状態を適確に知覚することができる。
【００７８】
次に、第２実施形態に係るカメラの観察状態の切り替え動作について図１４を参照して説明する。
【００７９】
ステップＳ４０１において、ボディＣＰＵ２９は、現在の観察状態がＯＶＦモードか否かを判定する。現在の観察状態がＯＶＦモードでないと判定された場合、すなわち、ＥＶＦモードの場合には、ステップＳ４０４に進む。一方、現在の観察状態がＯＶＦモードと判定された場合には、ステップＳ４０２に進む。
【００８０】
ステップＳ４０２において、ボディＣＰＵ２９は、測光センサ２７により測定した被写体の輝度が第１の所定値Ｐ１以上か否かを判定する。被写体の輝度が第１の所定値Ｐ１以上でないと判定された場合には、ステップＳ４０６に進む。一方、被写体の輝度が第１の所定値Ｐ１以上と判定された場合には、ステップＳ４０３に進む。
【００８１】
ステップＳ４０３において、ボディＣＰＵ２９は、観察状態をＯＶＦモードからＥＶＦモードに切り換える。
【００８２】
ここで、ＯＶＦモードからＥＶＦモードへの切り換え動作について図１５を参照して説明する。
【００８３】
ステップＳ５０１において、ボディＣＰＵ２９はミラー駆動部３０を制御してミラー２１を撮影位置に移動（ミラーアップ）する。
【００８４】
ステップＳ５０２において、ボディＣＰＵ２９は、ファインダ光学系Ｏの視野内に表示された指標Ｓ１をオフにする。
【００８５】
ステップＳ５０３において、ボディＣＰＵ２９は、撮像部２５により撮像した被写体の画像をスルー画像としてサブモニタ３２に表示する。
【００８６】
ステップＳ５０４において、ボディＣＰＵ２９は、指標部２８により指標Ｓ２をファインダ光学系の視野内に表示する。
【００８７】
図１４に戻って、ステップＳ４０４において、ボディＣＰＵ２９は、撮像部２５により検出した被写体の輝度が第２の所定値Ｐ２以下か否かを判定する。被写体の輝度が第２の所定値Ｐ２以下でないと判定された場合には、ＥＶＦモードを維持するとともに、再度、被写体の輝度を検出する。一方、被写体の輝度が第２の所定値Ｐ２以下と判定された場合には、ステップＳ４０５に進む。
【００８８】
ステップＳ４０５において、ボディＣＰＵ２９は、観察状態をＥＶＦモードからＯＶＦモードに切り換える。
【００８９】
ここで、ＥＶＦモードからＯＶＦモードへの切り換え動作について図１６を参照して説明する。
【００９０】
ステップＳ６０１において、ボディＣＰＵ２９は、ミラー駆動部３０を制御してミラー２１を撮影位置から観察位置に移動（ミラーダウン）する。
【００９１】
ステップＳ６０２において、ボディＣＰＵ２９は、指標部２８によりファインダ光学系Ｏの視野内に表示された指標Ｓ２をオフにする。
【００９２】
ステップＳ６０３において、ボディＣＰＵ２９は、サブモニタ３２に表示された被写体のスルー画像をオフにする。
【００９３】
ステップＳ６０４において、ボディＣＰＵ２９は、指標部２８によりファインダ光学系Ｏの視野内に指標Ｓ１を表示する。
【００９４】
図１４に戻って、ステップＳ４０６において、ボディＣＰＵ２９は、電源オフの指示があるか否かを判定する。電源オフの指示が無いと判定された場合には、ステップＳ４０２に戻る。一方、電源オフの指示があると判定された場合には、観察状態の切換動作の制御を終了する。
【００９５】
本発明は、以上説明した実施形態に限定されることなく種々の変形や変更が可能である。以下、例を示す。
【００９６】
（１）第１及び第２実施形態において、ペンタプリズムＯ３の近傍に設けられた測光センサ２７により被写体の輝度を測定する例を説明したが、これに限定されることなく、他の方法により被写体の輝度を測定するようにしてもよい。例えば、カメラボディ２０の外部に測光センサを設け、この測光センサにより被写体の輝度を測定するようにしてもよい。
【００９７】
（２）第１及び第２実施形態において、ファインダの視野内またはモニタ２６に指標を表示することによってユーザーに観察状態が変更されたことを視覚的に知覚させる例を説明したが、音声によってユーザーに知覚させるようにしてもよい。例えば、カメラボディ２０にスピーカーを設け、このスピーカーから発する電子音または音声により観察状態の変更を報知するようにしてもよい。
【００９８】
（３）第１及び第２実施形態において、被写体の輝度に応じて観察状態を切り換える例を説明したが、特定の波長の輝度に応じて観察状態を切り換えるようにしてもよい。例えば、被写体の紫外線量を検出する紫外線センサをカメラボディ２０に設け、この紫外線センサの検出結果に応じて観察状態を切り換えるようにしてもよい。
【００９９】
（４）第１及び第２実施形態において、レンズ交換式の一眼レフレックスカメラを例に説明したが、レンズ一体型のカメラであってもよい。
【０１００】
（５）第２実施形態において、指標部２８によりファインダ光学系Ｏの視野内に指標を表示する例を説明したが、サブモニタ３２に指標となる画像や文字列等を表示するようにしてもよい。
【符号の説明】
【０１０１】
Ｌ  撮影光学系
１０  レンズ鏡筒
２０  カメラボディ
２１  ミラー
２３  接眼部
２５  撮像部
２６  モニタ
２７  測光センサ
２８  指標部
２９  ボディＣＰＵ
３２  サブモニタ
【図１】
0005510013.tif 000002
【図２】
0005510013.tif 000003
【図３】
0005510013.tif 000004
【図４】
0005510013.tif 000005
【図５】
0005510013.tif 000006
【図６】
0005510013.tif 000007
【図７】
0005510013.tif 000008
【図８】
0005510013.tif 000009
【図９】
0005510013.tif 000010
【図１０】
0005510013.tif 000011
【図１１】
0005510013.tif 000012
【図１２】
0005510013.tif 000013
【図１３】
0005510013.tif 000014
【図１４】
0005510013.tif 000015
【図１５】
0005510013.tif 000016
【図１６】
0005510013.tif 000017